(57)【特許請求の範囲】
【請求項１】
外部装置と通信を行う通信部と、
画像を記録媒体に印刷する印刷部と、
記憶部と、
制御部とを有し、
前記制御部は、
印刷ジョブに対応する複数の画像データであって、前記複数の画像データのそれぞれの画像データは１又は複数の記録媒体に印刷される画像に対応するものである前記複数の画像データを、前記記憶部に記憶する記憶処理と、
前記画像データに対応する画像の記録媒体への印刷指令が前記通信部により受信されない場合に、前記記憶部に記憶された前記複数の画像データを、前記画像データに対応する画像を前記印刷部により記録媒体に印刷することなく、前記画像データ単位で削除してゆく削除処理と、
前記印刷指令が前記通信部により受信された場合に、前記削除処理を中止し、前記記憶部に残存した前記画像データであって前記印刷指令に対応する前記画像データに対応する画像を記録媒体に印刷させるよう、前記印刷部を制御する印刷処理とを実行し、
前記削除処理は、所定時間経過毎に、前記画像データ単位で前記複数の画像データを削除する、印刷装置。
【請求項２】
請求項１に記載の印刷装置であって、
前記印刷ジョブのジョブデータを記憶するジョブデータ記憶部をさらに有し、
前記制御部は、
前記通信部により前記ジョブデータが受信されたことに応じて、当該ジョブデータを前記ジョブデータ記憶部に記憶するジョブデータ記憶処理と、
前記ジョブデータ記憶部に記憶された前記ジョブデータを前記複数の画像データに変換する変換処理とをさらに実行する、印刷装置。
【請求項３】
外部装置と通信を行う通信部と、
画像を記録媒体に印刷する印刷部と、
記憶部と、
制御部とを有し、
前記制御部は、
印刷ジョブに対応する複数の画像データであって、前記複数の画像データのそれぞれの画像データは１又は複数の記録媒体に印刷される画像に対応するものである前記複数の画像データを、前記記憶部に記憶する記憶処理と、
前記画像データに対応する画像の記録媒体への印刷指令が前記通信部により受信されない場合に、前記記憶部に記憶された前記複数の画像データを、前記画像データに対応する画像を前記印刷部により記録媒体に印刷することなく、前記画像データ単位で削除してゆく削除処理と、
前記印刷指令が前記通信部により受信された場合に、前記削除処理を中止し、前記記憶部に残存した前記画像データであって前記印刷指令に対応する前記画像データに対応する画像を記録媒体に印刷させるよう、前記印刷部を制御する印刷処理とを実行し、
前記印刷ジョブのジョブデータを記憶するジョブデータ記憶部をさらに有し、
前記制御部は、
前記通信部により前記ジョブデータおよびジョブデータが代替印刷に対応するジョブであることを示す代替印刷情報が受信された場合、
前記通信部により前記ジョブデータが受信されたことに応じて、当該ジョブデータを前記ジョブデータ記憶部に記憶するジョブデータ記憶処理と、
前記ジョブデータ記憶部に記憶された前記ジョブデータを前記複数の画像データに変換する変換処理と、
前記削除処理とを少なくとも実行し、
前記通信部により前記代替印刷情報が受信されずに前記ジョブデータが受信された場合、
当該ジョブデータを前記画像データに変換する通常変換処理と、
前記通常変換処理により得られる前記画像データに対応する画像を記録媒体に印刷させるよう、前記印刷部を制御する通常印刷処理とを実行する、印刷装置。
【請求項４】
請求項３に記載の印刷装置であって、
前記削除処理は、前記通信部により前記画像データの削除指令が受信された場合に、前記記憶部から前記削除指令の対象となる前記画像データを削除する、印刷装置。
【請求項５】
請求項３に記載の印刷装置であって、
前記削除処理は、所定時間経過毎に、前記画像データ単位で前記複数の画像データを削除する、印刷装置。
【請求項６】
請求項３〜５のいずれか一項に記載の印刷装置であって、
前記制御部は、前記ジョブデータ記憶処理後であって前記印刷指令の受信前に、前記通信部により前記代替印刷情報が受信されずに前記ジョブデータが受信された場合、前記ジョブデータ記憶処理により前記ジョブデータ記憶部に記憶されている前記ジョブデータを前記ジョブデータ記憶部から削除して、前記通信部により前記代替印刷情報が受信されずに受信された前記ジョブデータに対して、前記通常変換処理および前記通常印刷処理を実行する、印刷装置。
【請求項７】
請求項６に記載の印刷装置であって、
前記制御部は、前記ジョブデータを削除した場合、その旨の情報を前記代替印刷情報の送信元に送信するよう、前記通信部を制御する中止通知処理を実行する、印刷装置。
【請求項８】
請求項３〜７のいずれか一項に記載の印刷装置であって、
前記制御部は、
前記通常印刷処理の実行中に、前記通信部により前記代替印刷情報および前記ジョブデータが受信された場合、前記ジョブデータ記憶処理を実行しない、印刷装置。
【請求項９】
請求項３〜８のいずれか一項に記載の印刷装置であって、
前記制御部は、
前記削除処理の際に、前記複数の画像データが前記記憶部に記憶されていない場合、前記ジョブデータを前記ジョブデータ記憶部から削除する、印刷装置。
【請求項１０】
外部装置と通信を行う通信部と、
画像を記録媒体に印刷する印刷部と、
記憶部と、
制御部とを有し、
前記制御部は、
印刷ジョブに対応する複数の画像データであって、前記複数の画像データのそれぞれの画像データは１又は複数の記録媒体に印刷される画像に対応するものである前記複数の画像データを、前記記憶部に記憶する記憶処理と、
前記画像データに対応する画像の記録媒体への印刷指令が前記通信部により受信されない場合に、前記記憶部に記憶された前記複数の画像データを、前記画像データに対応する画像を前記印刷部により記録媒体に印刷することなく、前記画像データ単位で削除してゆく削除処理と、
前記印刷指令が前記通信部により受信された場合に、前記削除処理を中止し、前記記憶部に残存した前記画像データであって前記印刷指令に対応する前記画像データに対応する画像を記録媒体に印刷させるよう、前記印刷部を制御する印刷処理とを実行し、
前記印刷ジョブのジョブデータを記憶するジョブデータ記憶部をさらに有し、
前記制御部は、
前記通信部により前記ジョブデータが受信されたことに応じて、当該ジョブデータを前記ジョブデータ記憶部に記憶するジョブデータ記憶処理と、
前記ジョブデータ記憶部に記憶された前記ジョブデータを前記複数の画像データに変換する変換処理とをさらに実行し、
前記削除処理の際に、前記複数の画像データが前記記憶部に記憶されていない場合、前記ジョブデータを前記ジョブデータ記憶部から削除する、印刷装置。
【請求項１１】
請求項１０に記載の印刷装置であって、
前記削除処理は、前記通信部により前記画像データの削除指令が受信された場合に、前記記憶部から前記削除指令の対象となる前記画像データを削除する、印刷装置。
【請求項１２】
請求項１０に記載の印刷装置であって、
前記削除処理は、所定時間経過毎に、前記画像データ単位で前記複数の画像データを削除する、印刷装置。
【請求項１３】
請求項２〜１２のいずれか一項に記載の印刷装置であって、
前記記憶部は、所定数の記録媒体に印刷される画像のデータを記憶可能な容量を有しており、
前記制御部は、前記変換処理により、前記所定数の記録媒体に印刷される画像に対応する１又は複数の前記画像データが前記記憶部に記憶されるか、または、前記記憶部の空き容量が所定容量未満になった場合、前記変換処理を中断する、印刷装置。
【請求項１４】
第１印刷装置および第２印刷装置を含む印刷システムであって、
前記第１印刷装置は、
前記第２印刷装置と通信を行う第１通信部と、
画像を記録媒体に印刷する第１印刷部と、
第１記憶部と、
第１制御部とを有し、
前記第２印刷装置は、
前記第１印刷装置と通信を行う第２通信部と、
画像を記録媒体に印刷する第２印刷部と、
第２記憶部と、
第２制御部とを有し、
前記第１制御部は、
一つの印刷ジョブに対応する複数の画像データであって、前記複数の画像データのそれぞれの画像データは１又は複数の記録媒体に印刷される画像に対応するものである前記複数の画像データを、前記第１記憶部に記憶する第１記憶処理と、
前記複数の画像データを前記第２通信部へ送信させるよう、前記第１通信部を制御する画像データ送信処理と、
前記第１記憶部に記憶された前記複数の画像データに対応する画像を記録媒体に印刷させるよう、前記第１印刷部を制御する第１印刷処理と、
前記第１印刷処理が中断された場合、前記複数の画像データのうち前記第１印刷部により記録媒体に印刷がされていない画像データに対応する画像の記録媒体への印刷指令を前記第２通信部へ送信させるよう、前記第１通信部を制御する印刷指令送信処理とを実行し、
前記第２制御部は、
前記第２通信部により前記複数の画像データが受信されたことに応じて、当該複数の画像データを前記第２記憶部に記憶させる第２記憶処理と、
前記印刷指令が前記第２通信部により受信されない場合に、前記第２記憶部に記憶された前記複数の画像データを、前記画像データに対応する画像を前記第２印刷部により記録媒体に印刷することなく、前記画像データ単位で削除してゆく削除処理と、
前記印刷指令が前記第２通信部により受信された場合に、前記削除処理を中止し、前記第２記憶部に残存した前記画像データであって前記印刷指令に対応する前記画像データに対応する画像を記録媒体に印刷させるよう、前記第２印刷部を制御する第２印刷処理とを実行し、
前記第２印刷装置は、
前記印刷ジョブのジョブデータを記憶するジョブデータ記憶部をさらに有し、
前記第２制御部は、
前記第２通信部により前記ジョブデータおよびジョブデータが代替印刷に対応するジョブであることを示す代替印刷情報が受信された場合、
前記第２通信部により前記ジョブデータが受信されたことに応じて、当該ジョブデータを前記ジョブデータ記憶部に記憶するジョブデータ記憶処理と、
前記ジョブデータ記憶部に記憶された前記ジョブデータを前記複数の画像データに変換する変換処理と、
前記削除処理とを少なくとも実行し、
前記第２通信部により前記代替印刷情報が受信されずに前記ジョブデータが受信された場合、
当該ジョブデータを前記画像データに変換する通常変換処理と、
前記通常変換処理により得られる前記画像データに対応する画像を記録媒体に印刷させるよう、前記第２印刷部を制御する通常印刷処理とを実行する、印刷システム。
【請求項１５】
請求項１４に記載の印刷システムであって、
前記第１制御部は、前記第１印刷処理による印刷が中断された場合、その中断が所定の原因によるものである場合、前記印刷指令送信処理を実行しない、印刷システム。
【請求項１６】
外部端末、第１印刷装置および第２印刷装置を含む印刷システムであって、
前記外部端末は、
前記第１印刷装置および前記第２印刷装置と通信を行う端末通信部と、
端末制御部とを有し、
前記第１印刷装置は、
前記外部端末と通信を行う第１通信部と、
画像を記録媒体に印刷する第１印刷部と、
第１記憶部と、
第１制御部とを有し、
前記第２印刷装置は、
前記外部端末と通信を行う第２通信部と、
画像を記録媒体に印刷する第２印刷部と、
第２記憶部と、
第２制御部とを有し、
前記第１制御部は、
画像データを前記第１記憶部に記憶する第１記憶処理と、
前記第１記憶処理により前記第１記憶部に記憶された前記画像データを前記端末通信部へ送信させるよう、前記第１通信部を制御する第１送信処理と、
前記第１記憶部に記憶された当該画像データに対応する画像を記録媒体に印刷させるよう、前記第１印刷部を制御する第１印刷処理とを実行し、
前記第１印刷処理が中断された場合、前記画像データに対応する画像の記録媒体への印刷指令を前記端末通信部に送信させるよう、前記第１通信部を制御する印刷指令第１送信処理とを実行し、
前記端末制御部は、
前記端末通信部により受信した前記画像データを前記第２通信部へ送信させるよう、前記端末通信部を制御する第２送信処理と、
前記端末通信部により受信した前記印刷指令を前記第２通信部へ送信させるよう、前記端末通信部を制御する印刷指令第２送信処理とを実行し、
前記第２制御部は、
前記第２通信部により前記画像データが受信されたことに応じて、当該画像データを前記第２記憶部に記憶する第２記憶処理と、
前記印刷指令が前記第２通信部により受信されない場合に、前記第２記憶部に記憶された前記画像データを、当該画像データに対応する画像を前記第２印刷部により記録媒体に印刷することなく、１又は複数の記録媒体に印刷される画像単位で削除する削除処理と、
前記印刷指令が前記第２通信部により受信された場合に、前記削除処理を中止し、前記印刷指令に対応する画像を記録媒体に印刷させるよう、前記第２印刷部を制御する第２印刷処理とを実行し、
前記第２印刷装置は、
前記印刷ジョブのジョブデータを記憶するジョブデータ記憶部をさらに有し、
前記第２制御部は、
前記第２通信部により前記ジョブデータおよびジョブデータが代替印刷に対応するジョブであることを示す代替印刷情報が受信された場合、
前記第２通信部により前記ジョブデータが受信されたことに応じて、当該ジョブデータを前記ジョブデータ記憶部に記憶するジョブデータ記憶処理と、
前記ジョブデータ記憶部に記憶された前記ジョブデータを前記複数の画像データに変換する変換処理と、
前記削除処理とを少なくとも実行し、
前記第２通信部により前記代替印刷情報が受信されずに前記ジョブデータが受信された場合、
当該ジョブデータを前記画像データに変換する通常変換処理と、
前記通常変換処理により得られる前記画像データに対応する画像を記録媒体に印刷させるよう、前記第２印刷部を制御する通常印刷処理とを実行する、印刷システム。
【請求項１７】
外部装置と通信を行う通信部と、画像を記録媒体に印刷する印刷部と、記憶部と、印刷ジョブのジョブデータを記憶するジョブデータ記憶部とを有する印刷装置で実行される印刷方法であって、
前記印刷ジョブに対応する複数の画像データであって、前記複数の画像データのそれぞれの画像データは１又は複数の記録媒体に印刷される画像に対応するものである前記複数の画像データを、前記記憶部に記憶する記憶ステップと、
前記画像データに対応する画像の記録媒体への印刷指令が前記通信部により受信されない場合に、前記記憶部に記憶された前記画像データを、前記画像データに対応する画像を前記印刷部により記録媒体に印刷することなく、１又は複数の記録媒体に印刷される画像単位で削除する削除ステップと、
前記印刷指令が前記通信部により受信された場合に、前記削除処理を中止し、前記記憶部に残存した前記画像データであって前記印刷指令に対応する画像を記録媒体に印刷させるよう、前記印刷部を制御する印刷ステップとを含み、
前記通信部により前記ジョブデータおよびジョブデータが代替印刷に対応するジョブであることを示す代替印刷情報が受信された場合、
前記通信部により前記ジョブデータが受信されたことに応じて、当該ジョブデータを前記ジョブデータ記憶部に記憶するジョブデータ記憶ステップと、
前記ジョブデータ記憶部に記憶された前記ジョブデータを前記複数の画像データに変換する変換ステップと、
前記削除ステップとを少なくとも含み、
前記通信部により前記代替印刷情報が受信されずに前記ジョブデータが受信された場合、
当該ジョブデータを前記画像データに変換する通常変換ステップと、
前記通常変換ステップで得られる前記画像データに対応する画像を記録媒体に印刷させるよう、前記印刷部を制御する通常印刷ステップとを含む、印刷方法。
【請求項１８】
外部装置と通信を行う通信部と、画像を記録媒体に印刷する印刷部と、記憶部と、印刷ジョブのジョブデータを記憶するジョブデータ記憶部とを有する印刷装置のコンピュータにインストールされるプログラムであって、
前記コンピュータに、
前記印刷ジョブに対応する複数の画像データであって、前記複数の画像データのそれぞれの画像データは１又は複数の記録媒体に印刷される画像に対応するものである前記複数の画像データを、前記記憶部に記憶する記憶処理と、
前記画像データに対応する画像の記録媒体への印刷指令が前記通信部により受信されない場合に、前記記憶部に記憶された前記画像データを、当該画像データに対応する画像を前記印刷部により記録媒体に印刷することなく、１又は複数の記録媒体に印刷される画像単位で削除する削除処理と、
前記印刷指令が前記通信部により受信された場合に、前記削除処理を中止し、前記記憶部に残存した前記画像データであって前記印刷指令に対応する画像を記録媒体に印刷させるよう、前記印刷部を制御する印刷処理とを実行させ、
前記通信部により前記ジョブデータおよびジョブデータが代替印刷に対応するジョブであることを示す代替印刷情報が受信された場合、
前記通信部により前記ジョブデータが受信されたことに応じて、当該ジョブデータを前記ジョブデータ記憶部に記憶するジョブデータ記憶処理と、
前記ジョブデータ記憶部に記憶された前記ジョブデータを前記複数の画像データに変換する変換処理と、
前記削除処理とを少なくとも実行させ、
前記通信部により前記代替印刷情報が受信されずに前記ジョブデータが受信された場合、
当該ジョブデータを前記画像データに変換する通常変換処理と、
前記通常変換処理により得られる前記画像データに対応する画像を記録媒体に印刷させるよう、前記印刷部を制御する通常印刷処理とを実行させる、プログラム。
【発明の詳細な説明】
【技術分野】
【０００１】
本発明は、印刷装置、印刷システム、印刷装置で実行される印刷方法および印刷装置のコンピュータにインストールされるプログラムに関する。
【背景技術】
【０００２】
たとえば、近年のオフィスには、複数のプリンタが配設されている。プリンタがＬＡＮ（Local Area Network）を介してＰＣ（Personal Computer）と接続されている場合、たとえば、ＰＣからＬＡＮ経由でプリンタに印刷ジョブが送信される。印刷ジョブを受信したプリンタでは、印刷ジョブが実行されて、印刷ジョブに対応する画像が用紙に印刷される。
【０００３】
ところが、印刷ジョブを受信したプリンタに用紙詰まりや用紙切れ、トナー切れなどの印刷不能となるエラーが発生している場合、そのエラーが解消されるまで、その印刷ジョブが実行されない。そこで、印刷ジョブ（データ）を受信したプリンタにエラーが発生している場合に、その印刷ジョブをユーザにより指定または予め設定された別のプリンタに転送し、転送先のプリンタで印刷ジョブを実行する技術が提案されている（たとえば、特許文献１参照）。
【０００４】
しかしながら、かかる技術では、印刷ジョブをプリンタから別のプリンタに転送する時間を必要とし、転送先のプリンタで印刷が開始されるまでに時間がかかる。
【０００５】
また、別の技術として、プリンタで印刷不能となるエラーが発生した場合に備えて、複数のプリンタに同一の画像データなどを保存（共有コピー）しておき、いずれかのプリンタに印刷不能となるエラーが発生した場合に、別のプリンタで代替動作による印刷を実行する技術が提案されている（たとえば、特許文献２参照）。
【０００６】
かかる技術では、代替動作の開始に際して印刷ジョブの転送が不要であるので、先の提案に係る技術よりも、印刷を早期に開始させることができる。しかしながら、代替動作が行われない場合、少なくとも画像データに対応する印刷が完了するまで、全ての画像データが別のプリンタの記憶部に保留されることになるので、画像データのセキュリティの観点からは好ましくない。
【先行技術文献】
【特許文献】
【０００７】
【特許文献１】特開２００１−２８５５３９号公報
【特許文献２】特開２００９−２７８２４３号公報
【発明の概要】
【発明が解決しようとする課題】
【０００８】
本発明の目的は、画像データに対応する画像の印刷実行が保留されている状態において、画像データに関するセキュリティを向上させることができる、印刷装置、印刷システム、印刷方法およびプログラムを提供することである。
【課題を解決するための手段】
【０００９】
前記の目的を達成するため、本発明の一の局面に係る印刷装置は、外部装置と通信を行う通信部と、画像を記録媒体に印刷する印刷部と、記憶部と、制御部とを有し、制御部は、印刷ジョブに対応する複数の画像データであって、複数の画像データのそれぞれの画像データは１又は複数の記録媒体に印刷される画像に対応するものである複数の画像データを、記憶部に記憶する記憶処理と、画像データに対応する画像の記録媒体への印刷指令が通信部により受信されない場合に、記憶部に記憶された複数の画像データを、画像データに対応する画像を印刷部により記録媒体に印刷することなく、画像データ単位で削除してゆく削除処理と、印刷指令が通信部により受信された場合に、削除処理を中止し、記憶部に残存した画像データであって印刷指令に対応する画像データに対応する画像を記録媒体に印刷させるよう、印刷部を制御する印刷処理とを実行する。
【００１０】
この構成によれば、記憶部に保存された複数の画像データについて、印刷指令を受信しなかった場合、記憶部に記憶された画像データに対応する画像が印刷部により記録媒体に印刷されることなく、画像データ単位で削除されることになる。これにより、画像データに対応する画像の印刷実行が保留されている状態において、画像データに関するセキュリティを向上させることができる。
【００１１】
本発明の他の局面に係る印刷システムは、第１印刷装置および第２印刷装置を含む印刷システムであって、第１印刷装置は、第２印刷装置と通信を行う第１通信部と、画像を記録媒体に印刷する第１印刷部と、第１記憶部と、第１制御部とを有し、第２印刷装置は、第１印刷装置と通信を行う第２通信部と、画像を記録媒体に印刷する第２印刷部と、第２記憶部と、第２制御部とを有し、第１制御部は、一つの印刷ジョブに対応する複数の画像データであって、複数の画像データのそれぞれの画像データは１又は複数の記録媒体に印刷される画像に対応するものである複数の画像データを、第１記憶部に記憶する第１記憶処理と、複数の画像データを第２通信部へ送信させるよう、第１通信部を制御する画像データ送信処理と、第１記憶部に記憶された複数の画像データに対応する画像を記録媒体に印刷させるよう、第１印刷部を制御する第１印刷処理と、第１印刷処理が中断された場合、複数の画像データのうち第１印刷部により記録媒体に印刷がされていない画像データに対応する画像の記録媒体への印刷指令を第２通信部へ送信させるよう、第１通信部を制御する印刷指令送信処理とを実行し、第２制御部は、第２通信部により複数の画像データが受信されたことに応じて、当該複数の画像データを第２記憶部に記憶する第２記憶処理と、印刷指令が第２通信部により受信されない場合に、第２記憶部に記憶された複数の画像データを、画像データに対応する画像を第２印刷部により記録媒体に印刷することなく、画像データ単位で削除してゆく削除処理と、印刷指令が第２通信部により受信された場合に、削除処理を中止し、第２記憶部に残存した画像データであって印刷指令に対応する画像データに対応する画像を記録媒体に印刷させるよう、第２印刷部を制御する第２印刷処理とを実行する。
【００１２】
この構成によれば、第１印刷装置および第２印刷装置において、同一の画像データがそれぞれ第１記憶部および第２記憶部に記憶される。そして、第２印刷装置において、印刷指令が受信されない場合、第２記憶部に記憶された画像データに対応する画像が印刷部により記録媒体に印刷されることなく、１又は複数の記録媒体に印刷される画像単位で削除されることになる。これにより、画像データに対応する画像の印刷実行が第２印刷装置で保留されている状態において、画像データに関するセキュリティを向上させることができる。
【００１３】
また、第１印刷装置に印刷不能となるエラーが発生し、印刷が中断されると、第１印刷装置から第２印刷装置に印刷指令が送信される。第２印刷装置が印刷指令を受信すると、第２記憶部に記憶されている画像データに対応する画像が記録媒体に印刷される。第２記憶部に画像データが記憶されているので、印刷指令の受信後、印刷を迅速に開始することができる。
【００１４】
本発明のさらに他の局面に係る印刷システムは、外部端末、第１印刷装置および第２印刷装置を含む印刷システムであって、外部端末は、第１印刷装置および第２印刷装置と通信を行う端末通信部と、端末制御部とを有し、第１印刷装置は、外部端末と通信を行う第１通信部と、画像を記録媒体に印刷する第１印刷部と、第１記憶部と、第１制御部とを有し、第２印刷装置は、外部端末と通信を行う第２通信部と、画像を記録媒体に印刷する第２印刷部と、第２記憶部と、第２制御部とを有し、第１制御部は、画像データを第１記憶部に記憶する第１記憶処理と、第１記憶処理により第１記憶部に記憶された画像データを端末通信部へ送信させるよう、第１通信部を制御する第１送信処理と、第１記憶部に記憶された当該画像データに対応する画像を記録媒体に印刷させるよう、第１印刷部を制御する第１印刷処理とを実行し、第１印刷処理が中断された場合、画像データに対応する画像の記録媒体への印刷指令を端末通信部に送信させるよう、第１通信部を制御する印刷指令第１送信処理とを実行し、端末制御部は、端末通信部により受信した画像データを第２通信部へ送信させるよう、端末通信部を制御する第２送信処理と、端末通信部により受信した印刷指令を第２通信部へ送信させるよう、端末通信部を制御する印刷指令第２送信処理とを実行し、第２制御部は、第２通信部により画像データが受信されたことに応じて、当該画像データを第２記憶部に記憶する第２記憶処理と、印刷指令が第２通信部により受信されない場合に、第２記憶部に記憶された画像データを、当該画像データに対応する画像を第２印刷部により記録媒体に印刷することなく、１又は複数の記録媒体に印刷される画像単位で削除する削除処理と、印刷指令が第２通信部により受信された場合に、削除処理を中止し、印刷指令に対応する画像を記録媒体に印刷させるよう、第２印刷部を制御する第２印刷処理とを実行する。
【００１５】
この構成によれば、第１印刷装置と第２印刷装置とが通信回線により直接に接続されていなくても、前述の構成と同様の効果を奏することができる。
【００１６】
なお、本発明は、印刷装置および印刷システムの形態で実現することができるだけでなく、たとえば、印刷方法として、また、印刷装置のコンピュータにインストールされるプログラムの形態で実現することもできる。
【発明の効果】
【００１７】
本発明によれば、印刷装置において、画像データに対応する画像の印刷実行が保留されている状態において、画像データに関するセキュリティを向上させることができる。
【図面の簡単な説明】
【００１８】
【図１】本発明の一実施形態に係る印刷システムの構成を図解的に示す図である。
【図２】印刷装置の電気的構成を示すブロック図である。
【図３】印刷システムにおける通信の概要を説明するための図である。
【図４】マスタプリンタにおけるマスタ側代替印刷処理の流れを示すフローチャートである。
【図５】マスタ印刷処理の流れを示すフローチャートである。
【図６】マスタ解析処理の流れを示すフローチャートである。
【図７】スレーブプリンタにおけるスレーブ側代替印刷処理の流れを示すフローチャートである。
【図８】スレーブ印刷処理の流れを示すフローチャートである。
【図９】スレーブ解析処理の流れを示すフローチャートである。
【図１０】第２実施形態に係る印刷システムにおける通信の概要を説明するための図である。
【図１１】第３実施形態に係る印刷システムにおけるスレーブ解析処理の流れを示すフローチャートである。
【発明を実施するための形態】
【００１９】
以下では、本発明の実施の形態について、添付図面を参照しつつ詳細に説明する。
【００２０】
＜システム構成＞
【００２１】
印刷システム１は、図１に示されるように、外部装置および印刷装置の一例としてのプリンタ２Ａ，２Ｂなどの複数のプリンタ（以下、任意のプリンタを総称する場合には、「プリンタ２」という。）およびＰＣ（Personal Computer）３を含む。
【００２２】
各プリンタ２は、ＬＡＮ（Local Area Network）４に接続されている。各プリンタ２およびＰＣ３は、ＬＡＮ４を経由した通信を行うことができる。ＬＡＮ４は、有線ＬＡＮであってもよいし、無線ＬＡＮであってもよい。また、ＬＡＮ４は、有線ＬＡＮおよび無線ＬＡＮの両方を含んでいてもよい。ＬＡＮ４は、ルータ５を介して、インターネットに接続されている。
【００２３】
＜プリンタの電気的構成＞
【００２４】
各プリンタ２は、同一の構成を有している。以下では、プリンタ２Ａを例に取り上げて、プリンタ２の構成について説明する。プリンタ２Ｂの各構成要素を説明に使用する場合は、プリンタ２Ａの構成要素と同一の構成要素について、その構成要素の参照符号の末尾を「Ｂ」に変更して使用する。
【００２５】
プリンタ２Ａは、図２に示されるように、画像形成部１１Ａ、表示部１２Ａ、操作部１３Ａ、ネットワーク通信部１４Ａおよび制御部１５Ａを備えている。
【００２６】
第１印刷部の一例としての画像形成部１１Ａは、画像データに基づく印刷（カラー印刷またはモノクロ印刷）を実行し、シートに画像を形成する。画像形成の方式は、電子写真方式であってもよいし、インクジェット方式であってもよい。
【００２７】
表示部１２Ａは、たとえば、液晶表示器からなる。
【００２８】
操作部１３Ａは、各種の指示を入力するために操作される操作ボタン（たとえば、スタートキー、テンキー、カーソルキー）などを備えている。
【００２９】
第１通信部の一例としてのネットワーク通信部１４Ａは、ＬＡＮ４（図１参照）を経由したネットワーク通信のための回路などを備えている。
【００３０】
第１制御部の一例としての制御部１５Ａは、ＡＳＩＣ（Application Specific Integrated Circuit）２１Ａ、ＲＯＭ２２ＡおよびＲＡＭ２３Ａなどを備えている。
【００３１】
ＡＳＩＣ２１Ａは、ＣＰＵ２４Ａを内蔵している。ＡＳＩＣ２１Ａには、操作部１３Ａの操作内容を表す操作信号などが入力される。ＣＰＵ２４Ａは、ＡＳＩＣ２１Ａに入力される信号などに基づいて、ＲＯＭ２２Ａに記憶されているプログラムを実行することにより、画像形成部１１Ａおよび表示部１２Ａを制御し、ネットワーク通信部１４Ａを通信のために制御する。ＣＰＵ２４Ａによる制御（プログラム）の実行時、ＲＡＭ２３Ａがワークエリアとして使用される。
【００３２】
ＲＡＭ２３Ａは、ジョブデータ記憶部２５Ａおよび画像データ記憶部２６Ａを備えている。
【００３３】
ジョブデータ記憶部２５Ａには、ネットワーク通信部１４Ａを介して入力されるジョブデータが記憶される。また、第１記憶部の一例としての画像データ記憶部２６Ａには、ジョブデータ記憶部２５Ａに記憶されているジョブデータがラスタライズされ、画像形成部１１Ａにより印刷される画像データが一時的に保存される。画像データ記憶部２６Ａは、所定数のシートに印刷される画像の画像データを記憶可能な容量を有している。
【００３４】
＜ＰＣの電気的構成＞
【００３５】
外部装置および外部端末の一例としてのＰＣ３は、図１に示されるように、ネットワーク通信部３１およびＣＰＵ３２を備えている。
【００３６】
端末通信部の一例としてのネットワーク通信部３１は、ＬＡＮ４を経由したネットワーク通信のための回路などを備えている。
【００３７】
端末制御部の一例としてのＣＰＵ３２は、ネットワーク通信部３１を通信のために制御する。
【００３８】
＜通信の概要＞
【００３９】
印刷システム１では、代替印刷が可能である。代替印刷では、たとえば、プリンタ２Ａがマスタプリンタとして設定され、ＰＣ３からマスタプリンタ２Ａに印刷ジョブのジョブデータが送信されると、ジョブデータに対応する画像が第１印刷装置の一例としてのマスタプリンタ２Ａおよび第２印刷装置の一例としてのスレーブプリンタ２Ｂのいずれか一方で印刷される。そして、印刷中のプリンタ２において所定の原因以外のエラー、すなわち、印刷の中断から容易に復帰できないエラーが発生した場合には、他方のプリンタ２で残りの印刷が迅速に開始される。
【００４０】
ＰＣ３からマスタプリンタ２Ａに印刷ジョブのジョブデータが送信され時点において、マスタプリンタ２Ａは、印刷モードまたは解析モードのいずれかに設定されている。マスタプリンタ２Ａが印刷モードに設定されているときは、スレーブプリンタ２Ｂは、解析モードに設定されている。マスタプリンタ２Ａが解析モードに設定されているときは、スレーブプリンタ２Ｂは、印刷モードに設定されている。印刷モードおよび解析モードは、たとえば、印刷ジョブの実行ごとに切り替えられる。
【００４１】
マスタプリンタ２Ａが印刷モードに設定されており、スレーブプリンタ２Ｂが解析モードに設定されているときに、図３に示されるように、ＰＣ３からマスタプリンタ２Ａに印刷ジョブのジョブデータが送信された場合、マスタプリンタ２Ａからスレーブプリンタ２Ｂに、代替印刷情報および印刷ジョブのデータが送信される。代替印刷情報は、送信されたデータが代替印刷を行うデータであることを示す情報である。
【００４２】
マスタプリンタ２Ａからスレーブプリンタ２Ｂに送信される印刷ジョブのデータは、ジョブデータであってもよいし、画像データであってもよい。画像データは、ジョブデータをラスタライズしてビットマップデータに変換したものである。以下では、マスタプリンタ２Ａからスレーブプリンタ２Ｂにジョブデータが送信される場合を例に挙げて、代替印刷について説明する。
【００４３】
マスタプリンタ２Ａでは、ジョブデータの解析が行われて画像データに変換され、画像データの印刷が１シート単位に行われる。ジョブデータの解析とは、ジョブデータをラスタライズしてビットマップデータとしての画像データに変換することである。
【００４４】
マスタプリンタ２Ａで１シートの印刷を完了するごとに、マスタプリンタ２Ａからスレーブプリンタ２Ｂに削除指令が送信される。
【００４５】
一方、スレーブプリンタ２Ｂでは、マスタプリンタ２Ａから受信されたジョブデータの解析が行われて画像データに変換され、記憶部および第２記憶部の一例としての画像データ記憶部２６Ｂに記憶される。
【００４６】
スレーブプリンタ２Ｂでは、マスタプリンタ２Ａから削除指令が送信された場合、削除指令の対象となる１シート分の画像データが画像データ記憶部２６Ｂから削除される。
【００４７】
マスタプリンタ２Ａで所定の原因以外のエラーが発生した場合、マスタプリンタ２Ａからスレーブプリンタ２Ｂに印刷指令が送信される。
【００４８】
スレーブプリンタ２Ｂでは、印刷指令が送信された場合、当該ジョブデータに対応する残りの画像データ、すわなち、当該ジョブデータに対応する画像データのうちマスタプリンタ２Ａで印刷された画像データ以外の画像データの印刷が１シート単位に行われる。
【００４９】
＜マスタ側代替印刷処理＞
【００５０】
マスタプリンタ２Ａの電源が投入されている間、ＣＰＵ２４Ａにより、図４に示されるマスタ側代替印刷処理が繰り返し実行される。
【００５１】
ＬＡＮ４に接続されている複数のプリンタ２のうちの１台は、マスタプリンタ２Ａに設定されている。また、他の１台は、スレーブプリンタ２Ｂに設定されている。
【００５２】
マスタプリンタ２Ａは、印刷モードまたは解析モードのいずれかに設定されている。スレーブプリンタ２Ｂは、マスタプリンタ２Ａが印刷モードのときは、解析モードに設定され、マスタプリンタ２Ａが解析モードのときは、印刷モードに設定されている。
【００５３】
マスタ側代替印刷処理において、ＣＰＵ２４Ａは、ＬＡＮ４に接続されているＰＣ３からジョブデータを受信したか否かを判断する（Ｓ１）。
【００５４】
ジョブデータを受信していない場合（Ｓ１：ＮＯ）、ＣＰＵ２４Ａは、マスタ側代替印刷処理を終了する。
【００５５】
ジョブデータを受信した場合（Ｓ１：ＹＥＳ）、ＣＰＵ２４Ａは、ジョブデータをジョブデータ記憶部２５Ａに記憶する（Ｓ２）。
【００５６】
また、ＣＰＵ２４Ａは、ネットワーク通信部１４Ａに、代替印刷情報およびジョブデータをスレーブプリンタ２Ｂに向けて送信させる（Ｓ３）。
【００５７】
そして、ＣＰＵ２４Ａは、スレーブプリンタ２Ｂにおいて、代替印刷情報およびジョブデータを正常に受信したか否か、および、スレーブプリンタ２Ｂから実行不可通知を受信したか否かを判断する（Ｓ４）。代替印刷情報およびジョブデータを正常に受信したか否かは、たとえば、スレーブプリンタ２Ｂからの正常に受信した旨の返信により判断する。
【００５８】
代替印刷情報およびジョブデータを正常に受信しなかった場合、および、スレーブプリンタ２Ｂから実行不可通知を受信した場合（Ｓ４：ＮＯ）、マスタプリンタ２Ａにおいて、当該ジョブデータに対して通常の印刷（代替印刷でない印刷）が行われる。そのため、ＣＰＵ２４Ａは、ジョブデータをラスタライズしてビットマップデータとしての画像データに変換する通常変換処理を実行し（Ｓ５）、画像データを画像データ記憶部２６Ａに記憶する。
【００５９】
その後、ＣＰＵ２４Ａは、画像データ記憶部２６Ａに記憶されている画像データを画像形成部１１Ａに印刷させる通常印刷処理を実行し（Ｓ６）、マスタ側代替印刷処理を終了する。通常変換処理および通常印刷処理では、変換処理を行いながら順次印刷処理を行い、全ジョブデータに対応する画像を印刷する。
【００６０】
代替印刷情報およびジョブデータを正常に受信した場合、または、スレーブプリンタ２Ｂから実行不可通知を受信していない場合（Ｓ４：ＹＥＳ）、ＣＰＵ２４Ａは、マスタプリンタ２Ａが印刷モードであるか解析モードであるかを判断する（Ｓ７）。
【００６１】
マスタプリンタ２Ａが印刷モードの場合（Ｓ７：ＹＥＳ）、ＣＰＵ２４Ａは、マスタ印刷処理を実行し（Ｓ８）、マスタ側代替印刷処理を終了する。マスタ印刷処理の詳細については、後述する。
【００６２】
マスタプリンタ２Ａが解析モードの場合（Ｓ７：ＮＯ）、ＣＰＵ２４Ａは、マスタ解析処理を実行し（Ｓ９）、マスタ側代替印刷処理を終了する。マスタ解析処理の詳細については、後述する。
【００６３】
＜マスタ印刷処理＞
【００６４】
図４のステップＳ８で実行されるマスタ印刷処理の流れは、図５に示されている。
【００６５】
マスタ印刷処理では、ＣＰＵ２４Ａは、変換処理を実行する（Ｓ８０１）。変換処理において、ＣＰＵ２４Ａは、ジョブデータ記憶部２５Ａに記憶されているジョブデータをラスタライズして、画像データに変換し、画像データ記憶部２６Ａに記憶する。変換処理では、画像データ記憶部２６Ａの容量がフルになるか、または、画像データ記憶部２６Ａの空き容量が所定容量未満になるまで変換を行う。
【００６６】
そして、ＣＰＵ２４Ａは、印刷処理を実行する（Ｓ８０２）。印刷処理において、ＣＰＵ２４Ａは、画像データ記憶部２６Ａに記憶されている画像データのうち、最も先に記憶された１シート分の画像を画像形成部１１Ａに印刷させる。
【００６７】
その後、ＣＰＵ２４Ａは、１シートの印刷が完了されたか否かを判断する（Ｓ８０３）。１シートの印刷は、両面印刷の場合、１枚のシートの裏表に画像が印刷されることになる。
【００６８】
１シートの印刷が完了された場合（Ｓ８０３：ＹＥＳ）、ＣＰＵ２４Ａは、印刷が完了した１シート分の画像データを画像データ記憶部２６Ａから削除する（Ｓ８０４）。
【００６９】
また、ＣＰＵ２４Ａは、ネットワーク通信部１４Ａに、スレーブプリンタ２Ｂに向けて削除指令を送信させる（Ｓ８０５）。
【００７０】
そして、ＣＰＵ２４Ａは、印刷ジョブが終了したか否かを判断する（Ｓ８０６）。印刷ジョブが終了したことは、解析中のジョブデータに対応する画像データが全て変換処理されて画像データ記憶部２６Ａから削除されたことにより判断する。
【００７１】
印刷ジョブが終了していない場合（Ｓ８０６：ＮＯ）、ＣＰＵ２４Ａは、前述したステップＳ８０１以降の処理を行い、次の１シート分の処理を行う。変換処理および印刷処理については、可能な分の処理が順次行われる。
【００７２】
印刷ジョブが終了した場合（Ｓ８０６：ＹＥＳ）、ＣＰＵ２４Ａは、マスタ印刷処理をリターンする。
【００７３】
一方、１シートの印刷が完了していない場合（Ｓ８０３：ＮＯ）、ＣＰＵ２４Ａは、マスタプリンタ２Ａで所定の原因以外のエラーが発生したか否かを判断する（Ｓ８０７）。所定の原因は、たとえば、用紙切れなど、印刷の中断から容易に復帰できるものである。
【００７４】
マスタプリンタ２Ａで所定の原因以外のエラーが発生していない場合（Ｓ８０７：ＮＯ）、ＣＰＵ２４Ａは、前述のステップＳ８０３の判断を行い、１シートの印刷が完了するか、所定の原因以外のエラーが発生するまで、ステップＳ８０３およびステップＳ８０７の判断を繰り返す。
【００７５】
マスタプリンタ２Ａで所定の原因以外のエラーが発生した場合（Ｓ８０７：ＹＥＳ）、ＣＰＵ２４Ａは、スレーブプリンタ２Ｂが印刷可能であるか否かを判断する（Ｓ８０８）。具体的には、たとえば、スレーブプリンタ２Ｂに問い合わせを行い、スレーブプリンタ２Ｂが印刷可能である旨を受信した場合に、スレーブプリンタ２Ｂが印刷可能であると判断する。
【００７６】
スレーブプリンタ２Ｂが印刷可能である場合（Ｓ８０８：ＹＥＳ）、ＣＰＵ２４Ａは、ネットワーク通信部１４Ａに、スレーブプリンタ２Ｂに向けて印刷指令を送信させる（Ｓ８０９）。
【００７７】
そして、ＣＰＵ２４Ａは、ジョブデータ記憶部２５Ａに記憶されているジョブデータおよび画像データ記憶部２６Ａに記憶されている画像データを削除して（Ｓ８１０）、マスタ印刷処理をリターンする。
【００７８】
一方、スレーブプリンタ２Ｂが印刷可能でない場合（Ｓ８０８：ＮＯ）、マスタプリンタ２Ａおよびスレーブプリンタ２Ｂで、ともに印刷を行うことができないため、ＣＰＵ２４Ａは、ネットワーク通信部１４Ｂに、エラー表示指示をＰＣ３に向けて送信させる（Ｓ８１１）。
【００７９】
そして、ＣＰＵ２４Ａは、ジョブデータ記憶部２５Ａに記憶されているジョブデータおよび画像データ記憶部２６Ａに記憶されている画像データを削除して（Ｓ８１０）、マスタ印刷処理をリターンする。
【００８０】
＜マスタ解析処理＞
【００８１】
図４のステップＳ９で実行されるマスタ解析処理の流れは、図６に示されている。
【００８２】
マスタ解析処理では、ＣＰＵ２４Ａは、変換処理を実行する（Ｓ９０１）。
【００８３】
そして、ＣＰＵ２４Ａは、ネットワーク通信部１４Ａがスレーブプリンタ２Ｂから印刷指令を受信したか否かを判断する（Ｓ９０２）。
【００８４】
印刷指令を受信していない場合（Ｓ９０２：ＮＯ）、マスタプリンタ２Ａでは、ジョブデータの解析のみを行う。そのため、ＣＰＵ２４Ａは、ネットワーク通信部１４Ａがスレーブプリンタ２Ｂから削除指令を受信したか否かを判断する（Ｓ９０３）。
【００８５】
削除指令を受信していない場合（Ｓ９０３：ＮＯ）、ＣＰＵ２４Ａは、前述したステップＳ９０１の処理に戻り、スレーブプリンタ２Ｂから印刷指令を受信するか（Ｓ９０２：ＹＥＳ）、スレーブプリンタ２Ｂから削除指令を受信するまで（Ｓ９０３：ＹＥＳ）、変換処理の続きを行う（Ｓ９０１）。
【００８６】
削除指令を受信した場合（Ｓ９０３：ＹＥＳ）、ＣＰＵ２４Ａは、画像データ記憶部２６Ａに少なくとも１シート分の画像データが記憶されているか否かを判断する（Ｓ９０４）。
【００８７】
画像データ記憶部２６Ａに少なくとも１シート分の画像データが記憶されている場合（Ｓ９０４：ＹＥＳ）、ＣＰＵ２４Ａは、画像データ記憶部２６Ａから１シート分の画像データを削除する（Ｓ９０５）。
【００８８】
そして、ＣＰＵ２４Ａは、印刷ジョブが終了したか否かを判断する（Ｓ９０６）。
【００８９】
印刷ジョブが終了していない場合（Ｓ９０６：ＮＯ）、ＣＰＵ２４Ａは、前述したステップＳ９０１の処理に戻り、変換処理の続きを行う（Ｓ９０１）。
【００９０】
印刷ジョブが終了した場合（Ｓ９０６：ＹＥＳ）、ＣＰＵ２４Ａは、マスタ解析処理をリターンする。
【００９１】
一方、画像データ記憶部２６Ａに少なくとも１シート分の画像データが記憶されていない場合（Ｓ９０４：ＮＯ）、ＣＰＵ２４Ａは、ジョブデータ記憶部２５Ａに記憶されているジョブデータを削除する（Ｓ９０７）。画像データ記憶部２６Ａに画像データが記憶されていない場合、ステップＳ９０１で実行する変換処理の速度が遅いと考えられる。そのため、ジョブデータを削除することによりジョブデータの解析を中止する。
【００９２】
そして、ＣＰＵ２４Ａは、ネットワーク通信部１４Ａに、スレーブプリンタ２Ｂに向けて中止通知を送信させて（Ｓ９０８）、マスタ解析処理をリターンする。中止通知は、ジョブデータがジョブデータ記憶部２５Ａから削除された旨および代替印刷が行われない旨を示す通知である。
【００９３】
一方、スレーブプリンタ２Ｂから印刷指令を受信した場合（Ｓ９０２：ＹＥＳ）、マスタプリンタ２Ａで印刷を行う。そのため、ＣＰＵ２４Ａは、画像データ記憶部２６Ａに記憶されている画像データを画像形成部１１Ａに印刷させる印刷処理を実行する（Ｓ９０９）。
【００９４】
そして、ＣＰＵ２４Ａは、１シート分の印刷が完了したか否かを判断する（Ｓ９１０）。
【００９５】
１シート分の印刷が完了した場合（Ｓ９１０：ＹＥＳ）、ＣＰＵ２４Ａは、画像データ記憶部２６Ａから１シート分の画像データを削除する（Ｓ９１１）。
【００９６】
そして、ＣＰＵ２４Ａは、画像データが全て印刷されることにより、印刷ジョブが終了したか否かを判断する（Ｓ９１２）。
【００９７】
印刷ジョブが終了していない場合（Ｓ９１２：ＮＯ）、ＣＰＵ２４Ａは、前述したステップＳ９０９以降の処理を実行し、次のシートへの印刷を行う。
【００９８】
印刷ジョブが終了した場合（Ｓ９１２：ＹＥＳ）、ＣＰＵ２４Ａは、マスタ解析処理をリターンする。
【００９９】
一方、１シート分の印刷が完了していない場合（Ｓ９１０：ＮＯ）、ＣＰＵ２４Ａは、マスタプリンタ２Ａで所定の原因以外のエラーが発生したか否かを判断する（Ｓ９１３）。
【０１００】
マスタプリンタ２Ａで所定の原因以外のエラーが発生していない場合（Ｓ９１３：ＮＯ）、ＣＰＵ２４Ａは、前述のステップＳ９１０の判断を行い、１シート分の印刷が完了するか（Ｓ９１０：ＹＥＳ）、所定の原因以外のエラーが発生するまで（Ｓ９１３：ＹＥＳ）、ステップＳ９１０およびステップＳ９１３の判断を繰り返す。
【０１０１】
マスタプリンタ２Ａで所定の原因以外のエラーが発生した場合（Ｓ９１３：ＹＥＳ）、マスタプリンタ２Ａおよびスレーブプリンタ２Ｂで、ともに印刷を行うことができないため、ＣＰＵ２４Ａは、ネットワーク通信部１４Ａに、ＰＣ３に向けてエラー表示指示を送信させる（Ｓ９１４）。
【０１０２】
＜スレーブ側代替印刷処理＞
【０１０３】
スレーブプリンタ２Ｂの電源が投入されている間、ＣＰＵ２４Ｂにより、図７に示されるスレーブ側代替印刷処理が繰り返し実行される。
【０１０４】
スレーブ側代替印刷処理では、ＣＰＵ２４Ｂは、通信部および第２通信部の一例としてのネットワーク通信部１４Ｂがジョブデータを受信したか否かを判断する（Ｓ２１）。
【０１０５】
ジョブデータを受信していない場合（Ｓ２１：ＮＯ）、ＣＰＵ２４Ｂは、スレーブ側代替印刷処理を終了する。
【０１０６】
ジョブデータを受信した場合（Ｓ２１：ＹＥＳ）、ＣＰＵ２４Ｂは、受信したジョブデータに対する代替印刷情報を受信しているか否かを判断する（Ｓ２２）。
【０１０７】
代替印刷情報を受信していない場合（Ｓ２２：ＮＯ）、ＣＰＵ２４Ｂは、通常変換処理を実行する（Ｓ２３）。
【０１０８】
そして、ＣＰＵ２４Ｂは、通常印刷処理を実行する（Ｓ２４）。
【０１０９】
代替印刷情報を受信している場合（Ｓ２２：ＹＥＳ）、ＣＰＵ２４Ｂは、スレーブプリンタ２Ｂにおいて、通常の印刷ジョブを実行中であるか否かを判断する（Ｓ２５）。通常の印刷ジョブは、ＰＣ３から受信したジョブデータの印刷ジョブであって、代替印刷情報を伴わないものである。
【０１１０】
通常の印刷ジョブが実行中である場合（Ｓ２５：ＹＥＳ）、ＣＰＵ２４Ｂは、マスタプリンタ２Ａから受信した印刷ジョブを実行しない。そのため、ＣＰＵ２４Ｂは、ネットワーク通信部１４Ｂに、マスタプリンタ２Ａに向けて実行不可通知を送信させ（Ｓ２６）、スレーブ側代替印刷処理を終了する。マスタプリンタ２Ａは、実行不可通知を受信した場合、当該ジョブデータに対し通常変換処理および通常印刷処理を実行する。
【０１１１】
通常の印刷ジョブが実行中でない場合（Ｓ２５：ＮＯ）、ＣＰＵ２４Ｂは、マスタプリンタ２Ａから受信したジョブデータに対する処理を実行する。そのため、ＣＰＵ２４Ｂは、マスタプリンタ２Ａから受信したジョブデータをジョブデータ記憶部２５Ｂに記憶する（Ｓ２７）。
【０１１２】
そして、ＣＰＵ２４Ｂは、スレーブプリンタ２Ｂが印刷モードであるか解析モードであるかを判断する（Ｓ２８）。
【０１１３】
スレーブプリンタ２Ｂが印刷モードの場合（Ｓ２８：ＹＥＳ）、ＣＰＵ２４Ｂは、スレーブ印刷処理を実行し（Ｓ２９）、スレーブ側代替印刷処理を終了する。スレーブ印刷処理の詳細については、後述する。
【０１１４】
スレーブプリンタ２Ｂが解析モードの場合（Ｓ２８：ＮＯ）、ＣＰＵ２４Ｂは、スレーブ解析処理を実行し（Ｓ３０）、スレーブ側代替印刷処理を終了する。スレーブ解析処理の詳細については、後述する。
【０１１５】
＜スレーブ印刷処理＞
【０１１６】
図７のステップＳ２９で実行されるスレーブ印刷処理の流れは、図８に示されている。
【０１１７】
スレーブ印刷処理では、ＣＰＵ２４Ｂは、変換処理を実行する（Ｓ２９０１）。変換処理では、画像データ記憶部２６Ｂの容量がフルになるか、または、画像データ記憶部２６Ｂの空き容量が所定容量未満になるまで変換を行う。
【０１１８】
そして、ＣＰＵ２４Ｂは、印刷処理を実行する（Ｓ２９０２）。
【０１１９】
その後、ＣＰＵ２４Ｂは、１シートの印刷が完了した否かを判断する（Ｓ２９０３）。
【０１２０】
１シートの印刷が完了した場合（Ｓ２９０３：ＹＥＳ）、ＣＰＵ２４Ｂは、１シート分の画像データを画像データ記憶部２６Ｂから削除する（Ｓ２９０４）。
【０１２１】
また、ＣＰＵ２４Ｂは、ネットワーク通信部１４Ｂに、マスタプリンタ２Ａに向けて削除指令を送信させる（Ｓ２９０５）。
【０１２２】
そして、ＣＰＵ２４Ｂは、印刷ジョブが終了したか否かを判断する（Ｓ２９０６）。
【０１２３】
印刷ジョブが終了していない場合（Ｓ２９０６：ＮＯ）、ＣＰＵ２４Ｂは、前述したステップＳ２９０１以降の処理を行い、次の１シート分の処理を行う。変換処理および印刷処理については、可能な分の処理が順次行われる。
【０１２４】
印刷ジョブが終了した場合（Ｓ２９０６：ＹＥＳ）、ＣＰＵ２４Ｂは、スレーブ印刷処理をリターンする。
【０１２５】
一方、１シートの印刷が完了していない場合（Ｓ２９０３：ＮＯ）、ＣＰＵ２４Ｂは、スレーブプリンタ２Ｂで所定の原因以外のエラーが発生したか否かを判断する（Ｓ２９０７）。
【０１２６】
スレーブプリンタ２Ｂで所定の原因以外のエラーが発生していない場合（Ｓ２９０７：ＮＯ）、ＣＰＵ２４Ｂは、前述のステップＳ２９０３の判断を行い、１シートの印刷が完了するか、所定の原因以外のエラーが発生するまで、ステップＳ２９０３およびステップＳ２９０７の判断を繰り返す。
【０１２７】
スレーブプリンタ２Ｂで所定の原因以外のエラーが発生した場合（Ｓ２９０７：ＹＥＳ）、ＣＰＵ２４Ｂは、マスタプリンタ２Ａが印刷可能であるか否かを判断する（Ｓ２９０８）。具体的には、たとえば、マスタプリンタ２Ａに問い合わせを行い、マスタプリンタ２Ａが印刷可能である旨を受信した場合に、マスタプリンタ２Ａが印刷可能であると判断する。
【０１２８】
マスタプリンタ２Ａが印刷可能である場合（Ｓ２９０８：ＹＥＳ）、ＣＰＵ２４Ｂは、ネットワーク通信部１４Ｂにマスタプリンタ２Ａに向けて印刷指令を送信させる（Ｓ２９０９）。
【０１２９】
そして、ＣＰＵ２４Ｂは、ジョブデータ記憶部２５Ｂに記憶されているジョブデータおよび画像データ記憶部２６Ｂに記憶されている画像データを削除して（Ｓ２９１０）、スレーブ印刷処理をリターンする。
【０１３０】
一方、マスタプリンタ２Ａが印刷可能でない場合（Ｓ２９０８：ＮＯ）、マスタプリンタ２Ａおよびスレーブプリンタ２Ｂで、ともに印刷を行うことができないため、ＣＰＵ２４Ｂは、ネットワーク通信部１４Ｂに、エラー表示指示をＰＣ３に送信させる（Ｓ２９１１）。
【０１３１】
そして、ＣＰＵ２４Ｂは、ジョブデータ記憶部２５Ｂに記憶されているジョブデータおよび画像データ記憶部２６Ｂに記憶されている画像データを削除して（Ｓ２９１０）、スレーブ印刷処理をリターンする。
【０１３２】
＜スレーブ解析処理＞
【０１３３】
図７のステップＳ３０で実行されるスレーブ解析処理の流れは、図９に示されている。
【０１３４】
スレーブ解析処理では、ＣＰＵ２４Ｂは、変換処理を実行する（Ｓ３００１）。
【０１３５】
そして、ＣＰＵ２４Ｂは、ネットワーク通信部１４Ｂが通常の印刷ジョブを受信したか否かを判断する（Ｓ３００２）。
【０１３６】
通常の印刷ジョブを受信していない場合（Ｓ３００２：ＮＯ）、ＣＰＵ２４Ｂは、ネットワーク通信部１４Ｂがマスタプリンタ２Ａから印刷指令を受信したか否かを判断する（Ｓ３００３）。
【０１３７】
印刷指令を受信していない場合（Ｓ３００３：ＮＯ）、スレーブプリンタ２Ｂでは、ジョブデータの解析のみを行う。そのため、ＣＰＵ２４Ｂは、ネットワーク通信部１４Ｂがマスタプリンタ２Ａから削除指令を受信したか否かを判断する（Ｓ３００４）。
【０１３８】
削除指令を受信していない場合（Ｓ３００４：ＮＯ）、ＣＰＵ２４Ｂは、前述したステップＳ３００１の処理に戻り、通常の印刷ジョブを受信するか（Ｓ３００２：ＹＥＳ）、マスタプリンタ２Ａから印刷指令を受信するか（Ｓ３００３：ＹＥＳ）、マスタプリンタ２Ａから削除指令を受信するまで（Ｓ３００４：ＹＥＳ）、変換処理の続きを行う（Ｓ３００１）。
【０１３９】
削除指令を受信した場合（Ｓ３００４：ＹＥＳ）、ＣＰＵ２４Ｂは、画像データ記憶部２６Ｂに少なくとも１シート分の画像データが記憶されているか否かを判断する（Ｓ３００５）。
【０１４０】
画像データ記憶部２６Ｂに少なくとも１シート分の画像データが記憶されている場合（Ｓ３００５：ＹＥＳ）、ＣＰＵ２４Ｂは、画像データ記憶部２６Ｂから１シート分の画像データを削除する（Ｓ３００６）。
【０１４１】
そして、ＣＰＵ２４Ｂは、印刷ジョブが終了したか否かを判断する（Ｓ３００７）。
【０１４２】
印刷ジョブが終了していない場合（Ｓ３００７：ＮＯ）、ＣＰＵ２４Ｂは、前述したステップＳ３００１の処理に戻り、変換処理の続きを行う（Ｓ３００１）。
【０１４３】
印刷ジョブが終了した場合（Ｓ３００７：ＹＥＳ）、ＣＰＵ２４Ｂは、スレーブ解析処理をリターンする。
【０１４４】
一方、画像データ記憶部２６Ｂに少なくとも１シート分の画像データが記憶されていない場合（Ｓ３００５：ＮＯ）、ＣＰＵ２４Ｂは、ジョブデータ記憶部２５Ｂに記憶されているジョブデータを削除する（Ｓ３００９）。
【０１４５】
そして、ＣＰＵ２４Ｂは、ネットワーク通信部１４Ｂに、マスタプリンタ２Ａに向けて中止通知を送信させて（Ｓ３００８）。スレーブ解析処理をリターンする。中止通知は、ジョブデータがジョブデータ記憶部２５Ｂから削除された旨および代替印刷が行われない旨を示す通知である。
【０１４６】
一方、マスタプリンタ２Ａから印刷指令を受信した場合（Ｓ３００３：ＹＥＳ）、スレーブプリンタ２Ｂで印刷を行う。そのため、ＣＰＵ２４Ｂは、画像データ記憶部２６Ｂに記憶されている画像データを印刷部および第２印刷部の一例としての画像形成部１１Ｂに印刷させる印刷処理を実行する（Ｓ３０１０）。
【０１４７】
そして、ＣＰＵ２４Ｂは、１シート分の印刷が完了したか否かを判断する（Ｓ３０１１）。
【０１４８】
１シート分の印刷が完了した場合（Ｓ３０１１：ＹＥＳ）、ＣＰＵ２４Ｂは、画像データ記憶部２６Ｂから１シート分の画像データを削除する（Ｓ３０１２）。
【０１４９】
そして、ＣＰＵ２４Ｂは、画像データが全て印刷されることにより、印刷ジョブが終了したか否かを判断する（Ｓ３０１３）。
【０１５０】
印刷ジョブが終了していない場合（Ｓ３０１３：ＮＯ）、ＣＰＵ２４Ｂは、前述したステップＳ３０１０以降の処理を実行し、次のシートへの印刷を行う。
【０１５１】
印刷ジョブが終了した場合（Ｓ３０１３：ＹＥＳ）、ＣＰＵ２４Ｂは、スレーブ解析処理をリターンする。
【０１５２】
一方、１シート分の印刷が完了していない場合（Ｓ３０１１：ＮＯ）、ＣＰＵ２４Ｂは、スレーブプリンタ２Ｂで所定の原因以外のエラーが発生したか否かを判断する（Ｓ３０１４）。
【０１５３】
スレーブプリンタ２Ｂで所定の原因以外のエラーが発生していない場合（Ｓ３０１４：ＮＯ）、ＣＰＵ２４Ｂは、前述のステップＳ３０１１の判断を行い、１シート分の印刷が完了するか（Ｓ３０１１：ＹＥＳ）、所定の原因以外のエラーが発生するまで（Ｓ３０１４：ＹＥＳ）、ステップＳ３０１１およびステップＳ３０１４の判断を繰り返す。
【０１５４】
スレーブプリンタ２Ｂで所定の原因以外のエラーが発生した場合（Ｓ３０１４：ＹＥＳ）、ＣＰＵ２４Ｂは、ネットワーク通信部１４Ｂに、ＰＣ３に向けてエラー表示指示を送信させる（Ｓ３０１５）。
【０１５５】
また、ネットワーク通信部１４Ｂが通常の印刷ジョブを受信した場合（Ｓ３００２：ＹＥＳ）、ＣＰＵ２４Ｂは、その印刷ジョブの受信時に、マスタプリンタ２Ａから受信した印刷ジョブで実行中のものがあれば、その印刷ジョブのジョブデータをジョブデータ記憶部２５Ｂから削除する（Ｓ３０１６）。
【０１５６】
そして、ＣＰＵ２４Ｂは、ネットワーク通信部１４Ｂに、マスタプリンタ２Ａに向けて中止通知を送信させる（Ｓ３０１７）。中止通知は、ジョブデータがジョブデータ記憶部２５Ｂから削除された旨および代替印刷が行われない旨を示す通知である。
【０１５７】
また、ＣＰＵ２４Ｂは、通常変換処理を実行する（Ｓ３０１７）。
【０１５８】
次に、ＣＰＵ２４Ｂは、通常印刷処理を実行して（Ｓ３０１８）、スレーブ解析処理をリターンする。
【０１５９】
＜作用効果＞
【０１６０】
以上のように、マスタプリンタ２Ａおよびスレーブプリンタ２Ｂにおいて、同一の画像データがそれぞれ画像データ記憶部２６Ａおよび画像データ記憶部２６Ｂに記憶される。画像データ記憶部２６Ｂに保存された複数の画像データについて、印刷指令を受信しなかった場合、画像データ記憶部２６Ｂに記憶された画像データに対応する画像が画像形成部１１Ｂによりシートに印刷されることなく、画像データ単位で削除されることになる。これにより、画像データに対応する画像の印刷実行が保留されている状態において、画像データに関するセキュリティを向上させることができる。
【０１６１】
また、マスタプリンタ２Ａに印刷不能となるエラーが発生し、印刷が中断されると、マスタプリンタ２Ａからスレーブプリンタ２Ｂに印刷指令が送信される。スレーブプリンタ２Ｂが印刷指令を受信すると、画像データ記憶部２６Ｂに記憶されている画像データに対応する画像がシートに印刷される。画像データ記憶部２６Ｂに画像データが記憶されているので、印刷指令の受信後、印刷を迅速に開始することができる。
【０１６２】
ＣＰＵ２４Ｂは、ネットワーク通信部１４Ｂにより画像データの削除指令が受信された場合に、画像データ記憶部２６Ｂから削除指令の対象となる画像データを削除する。
【０１６３】
これにより、削除指令に基づいて、削除指令の対象となる画像データを画像データ記憶部２６Ｂから削除することができる。
【０１６４】
ＣＰＵ２４Ｂは、ネットワーク通信部１４Ｂによりジョブデータが受信されたことに応じて、当該ジョブデータをジョブデータ記憶部２５Ｂに記憶し、ジョブデータ記憶部２５Ｂに記憶されたジョブデータを複数の画像データに変換する。
【０１６５】
これにより、印刷ジョブと同一の印刷ジョブが他のプリンタ２で実行されているなどの理由で、印刷ジョブの実行が保留されている状態で、印刷指令を受信した場合、当該印刷ジョブに対応する画像の印刷を迅速に開始することができる。
【０１６６】
画像データ記憶部２６Ｂは、所定数のシートに印刷される画像のデータを記憶可能な容量を有している。ＣＰＵ２４Ｂは、所定数のシートに印刷される画像に対応する１又は複数の画像データが画像データ記憶部２６Ｂに記憶されるか、または、画像データ記憶部２６Ｂの空き容量が所定容量未満になった場合、ジョブデータから画像データへの変換処理を中断する。
【０１６７】
これにより、画像データ記憶部２６Ｂの容量が小さくても、画像データ記憶部２６Ｂの空き容量が不足することを良好に抑制できる。
【０１６８】
ＣＰＵ２４Ｂは、ネットワーク通信部１４Ｂによりジョブデータおよび代替印刷情報が受信された場合、受信されたジョブデータをジョブデータ記憶部２５Ｂに記憶する処理と、当該ジョブデータを画像データに変換する変換処理と、受信した削除指令の対象となる画像データを画像データ記憶部２６Ｂから削除する削除処理とを少なくとも実行する。一方、ネットワーク通信部１４Ｂにより代替印刷情報が受信されずにジョブデータが受信された場合、当該ジョブデータを画像データに変換する通常変換処理と、通常変換処理により得られる画像データに対応する画像をシートに印刷させるよう、画像形成部１１Ｂを制御する通常印刷処理とを実行する。
【０１６９】
そのため、代替印刷情報を受信せずに、ジョブデータを受信した場合には、そのジョブデータが画像データに変換される。そして、印刷指令の受信を待たずに、画像データに対応する画像がシートに印刷される。
【０１７０】
ＣＰＵ２４Ｂは、ジョブデータのジョブデータ記憶部２５Ｂへの記憶後であって印刷指令の受信前に、ネットワーク通信部１４Ｂにより代替印刷情報が受信されずにジョブデータが受信された場合、ジョブデータ記憶部２５Ｂに既に記憶されているジョブデータを削除して、代替印刷情報が受信されずに受信されたジョブデータに対して、通常変換処理および通常印刷処理を実行する。
【０１７１】
そのため、代替印刷情報を伴うジョブデータがジョブデータ記憶部２５Ｂに記憶されている状態で、そのジョブデータに対する印刷指令の受信前に、代替印刷情報を伴わないジョブデータを受信する場合、代替印刷情報を伴うジョブデータをジョブデータ記憶部２５Ｂから削除して、代替印刷情報を伴わない印刷ジョブが画像データに変換され、その画像データに対応する画像がシートに印刷される。これにより、代替印刷情報を伴わない印刷ジョブ（通常の印刷ジョブ）の実行を優先させることができる。
【０１７２】
ＣＰＵ２４Ｂは、通常印刷処理の実行中に、ネットワーク通信部１４Ｂにより代替印刷情報およびジョブデータが受信された場合、ジョブデータをジョブデータ記憶部２５Ｂに記憶させない。
【０１７３】
これにより、代替印刷情報を伴わない印刷ジョブに対応する画像の印刷中に、代替印刷情報を伴ったジョブデータを受信しても、そのジョブデータは、ジョブデータ記憶部に記憶されない。これにより、代替印刷情報を伴わない印刷ジョブ（通常の印刷ジョブ）の実行を優先させることができる。
【０１７４】
ＣＰＵ２４Ｂは、画像データ記憶部２６Ｂから画像データを削除する処理の際に、複数の画像データが画像データ記憶部２６Ｂに記憶されていない場合、ジョブデータをジョブデータ記憶部２５Ｂから削除する。
【０１７５】
ＣＰＵ２４Ｂにとって変換処理が過負荷であり、変換処理の速度が低い場合、画像データ記憶部２６Ｂから画像データを削除する処理の際に、画像データが画像データ記憶部２６Ｂに記憶されていない事態が発生し得る。この場合、変換処理が継続されると、ＣＰＵ２４Ｂに異常が発生する懸念があるので、ジョブデータを削除して変換処理などが行われないようにする。これにより、ＣＰＵ２４Ｂに過負荷による異常が発生することを抑制できる。
【０１７６】
ＣＰＵ２４Ｂは、ジョブデータを削除した場合、その旨の情報を前記代替印刷情報の送信元であるマスタプリンタ２Ａに送信するよう、ネットワーク通信部１４Ｂを制御する。
【０１７７】
これにより、マスタプリンタ２Ａにおいて、スレーブプリンタ２Ｂへのジョブデータの送信を停止するなどの対応が可能となる。
【０１７８】
また、マスタプリンタ２Ａにおける印刷が中断された原因が所定の原因、たとえば、用紙切れなど、印刷の中断から容易に復帰できるものである場合、マスタプリンタ２Ａからスレーブプリンタ２Ｂに印刷指令が送信されない。これにより、ユーザが印刷物をスレーブプリンタ２Ｂに取りに行く必要がなく、ユーザにとって印刷物の回収が容易になる。
【０１７９】
＜第２実施形態＞
【０１８０】
図３に示される通信に代えて、図１０に示される通信が実行されてもよい。
【０１８１】
第２実施形態では、代替印刷の制御がマスタプリンタ２Ａではなく、ＰＣ３により行われる。
【０１８２】
マスタプリンタ２Ａが印刷モードに設定されており、スレーブプリンタ２Ｂが解析モードに設定されているときに、ＰＣ３からマスタプリンタ２Ａに印刷ジョブのジョブデータが送信された場合、マスタプリンタ２Ａでは、ジョブデータの解析が行われて画像データに変換され、画像データの印刷が１シート単位に行われる。
【０１８３】
また、ＰＣ３からスレーブプリンタ２Ｂに、代替印刷情報およびジョブデータが送信される。
【０１８４】
スレーブプリンタ２Ｂでは、ＰＣ３から送信されたジョブデータの解析が行われて画像データに変換され、画像データ記憶部２６Ｂに記憶される。
【０１８５】
マスタプリンタ２Ａでは、１ページの印刷が完了するごとに、マスタプリンタ２ＡからＰＣ３に削除指令が送信され、これを受けて、ＰＣ３からスレーブプリンタ２Ｂに削除指令が転送される。
【０１８６】
スレーブプリンタ２Ｂでは、ＰＣ３から削除指令が送信された場合、削除指令の対象となる１シート分の画像データが画像データ記憶部２６Ｂから削除される。
【０１８７】
マスタプリンタ２Ａで所定の原因以外のエラーが発生した場合、マスタプリンタ２ＡからＰＣ３にエラー通知が送信され、これを受けて、ＰＣ３からスレーブプリンタ２Ｂに印刷指令が送信される。
【０１８８】
スレーブプリンタ２Ｂでは、印刷指令が受信された場合、当該ジョブデータに対応する残りの画像データ、すわなち、当該ジョブデータに対応する画像データのうちマスタプリンタ２Ａで印刷された画像データ以外の画像データの印刷が１シート単位に行われる。
【０１８９】
以上のように、マスタプリンタ２Ａとスレーブプリンタ２Ｂとが通信回線により直接に接続されていなくても、第１実施形態に係る構成と同様の効果を奏することができる。
【０１９０】
＜第３実施形態＞
【０１９１】
図９で示されるスレーブ解析処理に代えて、図１１で示されるスレーブ解析処理が実行されてもよい。図１１において、図９に示されるステップに相当する部分には、それらの各ステップと同一の参照符号が付されている。また、図１１に示されるスレーブ解析処理について、図９に示されるスレーブ解析処理との相違点のみを説明する。
【０１９２】
図９で示されるスレーブ解析処理では、ＣＰＵ２４Ｂは、ネットワーク通信部１４Ｂがマスタプリンタ２Ａから削除指令を受信した場合に、画像データ記憶部２６Ｂに記憶されている画像データが削除されたが、図１１で示されるスレーブ解析処理では、所定時間経過毎に、画像データ記憶部２６Ｂに記憶されている画像データが削除される。
【０１９３】
印刷指令を受信していない場合（Ｓ３００３：ＮＯ）、スレーブプリンタ２Ｂでは、ジョブデータの解析のみを行う。そのため、ＣＰＵ２４Ｂは、スレーブ解析処理が開始されてから所定時間が経過したかを受信したか否かを判断する（Ｓ３０２１）。
【０１９４】
所定時間を経過していない場合（Ｓ３０２１：ＮＯ）、ＣＰＵ２４Ｂは、前述したステップＳ３００１の処理に戻り、通常の印刷ジョブを受信するか（Ｓ３００２：ＹＥＳ）、マスタプリンタ２Ａから印刷指令を受信するか（Ｓ３００３：ＹＥＳ）、所定時間が経過するまで（Ｓ３０２１：ＹＥＳ）、変換処理の続きを行う（Ｓ３００１）。
【０１９５】
所定時間を経過した場合（Ｓ３０２１：ＹＥＳ）、ＣＰＵ２４Ｂは、所定時間の計時を再スタートさせた後、画像データ記憶部２６Ｂに少なくとも１シート分の画像データが記憶されているか否かを判断する（Ｓ３００５）。
【０１９６】
画像データ記憶部２６Ｂに少なくとも１シート分の画像データが記憶されている場合（Ｓ３００５：ＹＥＳ）、ＣＰＵ２４Ｂは、画像データ記憶部２６Ｂから記憶されている全ての画像データを削除する（Ｓ３０２２）。
【０１９７】
以上のように、経過時間により削除されていない画像データを把握できる。
【０１９８】
＜変形例＞
【０１９９】
以上、本発明の実施形態について説明したが、本発明は、他の形態で実施することもできる。
【０２００】
たとえば、前述の実施形態では、印刷モードと解析モードとは、マスタプリンタ２Ａとスレーブプリンタ２Ｂとの間で印刷ジョブごとに切り替えられたが、その他の基準によって印刷モードと解析モードとが切り替えられてもよい。たとえば、マスタプリンタ２Ａで印刷される枚数とスレーブプリンタ２Ｂで印刷される枚数とが同数に近づくように、印刷モードと解析モードとが切り替えられてもよい。
【０２０１】
印刷ジョブおよび代替印刷情報は、別々に送信されてもよいし、印刷ジョブの中に代替印刷情報が含まれていてもよい。
【０２０２】
また、前述の実施形態では、ネットワーク通信部１４Ｂが通常の印刷ジョブを受信した場合、その時点で、マスタプリンタ２Ａから送信された印刷ジョブで実行中のものがあれば、その印刷ジョブのジョブデータをジョブデータ記憶部２５Ｂから削除したが、ジョブデータの削除に代えて、ジョブデータに対する変換処理を中止してもよい。
【０２０３】
前述の実施形態では、画像データ記憶部２６Ｂから画像データを削除する場合、１シート分の画像データを削除したが、複数シート分の画像データを削除してもよい。プリンタ２内で複数のシート（例えば３枚のシート）を搬送しつつ両面印刷を行う場合は、３枚のシートに係る印刷が完了するごとに３枚のシートに対応する画像データを削除してもよい。
【０２０４】
また、プリンタ２に代えて、ＭＦＰ（Multi-Function Peripheral）を用いてもよい。
【０２０５】
その他、前述の構成には、特許請求の範囲に記載された事項の範囲で種々の設計変更を施すことが可能である。
【符号の説明】
【０２０６】
１      印刷システム
２      プリンタ
２Ａ    マスタプリンタ
２Ｂ    スレーブプリンタ
３      ＰＣ
１１Ａ  画像形成部
１１Ｂ  画像形成部
１４Ａ  ネットワーク通信部
１４Ｂ  ネットワーク通信部
１５Ａ  制御部
２４Ａ  ＣＰＵ
２４Ｂ  ＣＰＵ
２５Ａ  ジョブデータ記憶部
２５Ｂ  ジョブデータ記憶部
２６Ａ  画像データ記憶部
２６Ｂ  画像データ記憶部
３１    ネットワーク通信部
３２    ＣＰＵ
【図１】
0006447160.tif 000002
【図２】
0006447160.tif 000003
【図３】
0006447160.tif 000004
【図４】
0006447160.tif 000005
【図５】
0006447160.tif 000006
【図６】
0006447160.tif 000007
【図７】
0006447160.tif 000008
【図８】
0006447160.tif 000009
【図９】
0006447160.tif 000010
【図１０】
0006447160.tif 000011
【図１１】
0006447160.tif 000012